(57)【要約】【課題】残りのインク量で画像の記録が行えるかを判定できるインクジェット記録装置を提供する。【解決手段】インクジェット記録装置１は、インクタンク７４と、吐出部７２と、消費予定量算出部９１と、残量算出部９２と、判定部９３とを備える。インクタンク７４は、画像の記録で消費する第１インクとクリーニングで消費する第２インクとを含むインクを収容する。吐出部７２は、第１インクと第２インクとを吐出する。消費予定量算出部９１は、第１消費予定量と第２消費予定量との合計量を算出する。残量算出部９２は、インクタンク７４に収容されたインクの残量を算出する。判定部９３は、前記合計量がインクの残量より多いか否かを判定する。第１消費予定量は、画像の記録で消費される予定のインク量を示す。第２消費予定量は、クリーニングで消費される予定のインク量を示す。【選択図】図２
2019126960.tif 000002
【特許請求の範囲】
【請求項１】
画像の記録で消費する第１インクとクリーニングで消費する第２インクとを含むインクを収容するインクタンクと、
前記第１インクと前記第２インクとを吐出する吐出部と、
第１消費予定量と第２消費予定量との合計量を算出する消費予定量算出部と、
前記インクタンクに収容された前記インクの残量を算出する残量算出部と、
前記合計量が前記インクの残量より多いか否かを判定する判定部と
を備え、
前記第１消費予定量は、前記画像の記録で消費される予定のインク量を示し、
前記第２消費予定量は、前記クリーニングで消費される予定のインク量を示す、インクジェット記録装置。
【請求項２】
調整部をさらに備え、
前記調整部は、前記合計量が前記インクの残量より多いと前記判定部が判定した場合、前記クリーニングの実行回数を調整する、請求項１に記載のインクジェット記録装置。
【請求項３】
前記調整部は、前記合計量が前記インクの残量より多いと前記判定部が判定した場合、前記クリーニングを実行しない様に調整する、請求項２に記載のインクジェット記録装置。
【請求項４】
前記調整部は、前記合計量が前記インクの残量より多いと前記判定部が判定した場合、前記第１インクの吐出量を調整する、請求項２又は請求項３に記載のインクジェット記録装置。
【請求項５】
前記消費予定量算出部は、前記第１消費予定量を算出し、
前記判定部は、前記インクの残量が前記第１消費予定量より多いか否かを判定する、請求項１から請求項４のいずれか１つに記載のインクジェット記録装置。
【請求項６】
前記判定部の判定結果を通知する通知部をさらに備えた、請求項１から請求項５のいずれかに１つに記載のインクジェット記録装置。
【発明の詳細な説明】
【技術分野】
【０００１】
本発明は、インクジェット記録装置に関する。
【背景技術】
【０００２】
特許文献１に記載された画像形成装置は、基準値演算部と、表示実行部とを備える。基準値演算部は、ジョブ毎、又はジョブのページ毎にその印字率或いはトナーの消費量を演算する。表示実行部は、基準値演算部の演算結果に基づいてトナー消費に関する評価結果を表示させる。
【先行技術文献】
【特許文献】
【０００３】
【特許文献１】特開２０１０−１０２１４０号公報
【発明の概要】
【発明が解決しようとする課題】
【０００４】
しかしながら、トナーを用いて画像を形成する画像形成装置は、画像形成部のクリーニングにトナーを消費しない。一方、インクを用いて画像を記録するインクジェット記録装置は、記録部のクリーニングにインクを消費する。このため、画像形成装置のトナー消費量の算出方法と、インクジェット記録装置のインク消費量の算出手法とは、異なる。従って、トナー消費に関する評価方法をインクジェット記録装置にそのまま転用することはできない。
【０００５】
さらに、記録部のクリーニングは、所定枚数の記録を行ったときや所定時間が経過したときに行われる。このため、画像を記録している途中で、記録部のクリーニングが行われることがある。画像を記録している途中で記録部のクリーニングが行われた場合、インクの残量によっては、指定された画像を記録できないことがある。
【０００６】
本発明は上記課題に鑑みてなされたものであり、残りのインク量で画像の記録が行えるかを判定できるインクジェット記録装置を提供することを目的とする。
【課題を解決するための手段】
【０００７】
本発明に係るインクジェット記録装置は、インクタンクと、吐出部と、消費予定量算出部と、残量算出部と、判定部とを備える。前記インクタンクは、画像の記録で消費する第１インクとクリーニングで消費する第２インクとを含むインクを収容する。前記吐出部は、前記第１インクと前記第２インクとを吐出する。前記消費予定量算出部は、第１消費予定量と第２消費予定量との合計量を算出する。前記残量算出部は、前記インクタンクに収容された前記インクの残量を算出する。前記判定部は、前記消費予定量算出部の算出結果が前記インクの残量より多いか否かを判定する。前記第１消費予定量は、前記画像の記録で消費される予定のインク量を示す。前記第２消費予定量は、前記クリーニングで消費される予定のインク量を示す。
【発明の効果】
【０００８】
本発明によれば、残りのインク量で画像の記録が行えるか否かを判定できるインクジェット記録装置を提供することができる。
【図面の簡単な説明】
【０００９】
【図１】本発明の実施形態に係るインクジェット記録装置の構成を示す図である。
【図２】本発明の実施形態に係るインクジェット記録装置を示すブロック図である。
【図３】本発明の実施形態に係る制御部が実行する処理を示すフローチャートである。
【図４】本発明の実施形態に係る制御部が実行する調整処理を示すフローチャートである。
【発明を実施するための形態】
【００１０】
以下、本発明の実施形態について、図面を参照しながら説明する。なお、図中、同一又は相当部分については同一の参照符号を付して説明を繰り返さない。
【００１１】
まず、図１及び図２を参照して、本発明の実施形態に係るインクジェット記録装置１の構成について説明する。図１は、インクジェット記録装置１の構成を示す図である。図２は、インクジェット記録装置１を示すブロック図である。
【００１２】
図１及び図２に示すように、インクジェット記録装置１は、操作パネル２、原稿搬送装置３、読取部４、用紙収容部５、搬送ユニット６、記録部７、排出装置８、制御部９、及び記憶部１０を備える。
【００１３】
操作パネル２は、インクジェット記録装置１に対するユーザーからのジョブの指示を受け付ける。操作パネル２は、通知部２１及び複数の操作キー２２を含む。操作パネル２は、ユーザーからの指示を受け付けると、ユーザーからの指示を示す信号を制御部９へ送信する。通知部２１は、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）を含む。
【００１４】
通知部２１は、インクジェット記録装置１からの情報を通知する。通知部２１は、インクジェット記録装置１からの情報をユーザーに通知できる。
【００１５】
操作キー２２は、ユーザーから指示の入力を受け付ける。ユーザーは、操作キー２２を操作して指示を入力することで、インクジェット記録装置１の各種の設定を行うことができる。またユーザーは、操作キー２２を操作して指示を入力することで、インクジェット記録装置１に、インクジェット記録装置１の各種機能を実行させることができる。
【００１６】
原稿搬送装置３は、原稿Ｄを搬送する。具体的には、原稿搬送装置３は、複数の搬送ローラー対を備える。複数の搬送路ローラー対が回転することにより、原稿Ｄが搬送される。詳しくは、原稿Ｄは、所定の原稿読取位置を通過するように搬送される。
【００１７】
読取部４は、原稿Ｄの画像を読み取り、原稿Ｄの読取画像データを生成する。読取画像データは、制御部９へ送信される。詳しくは、読取部４はスキャナーであり、原稿Ｄの画像を光学的に読み取る。具体的には、読取部４は、光を透過するプラテンと、副走査方向に移動可能な光源ユニットと、光学系と、撮像装置とを備える。光源ユニットは、ＬＥＤ（Ｌｉｇｈｔ  Ｅｍｉｔｔｉｎｇ  Ｄｉｏｄｅ）のような光源と、反射ミラーとを備える。光源ユニットは、副走査方向に移動しながら、プラテンに載置された原稿Ｄに向けて光を照射するとともに、原稿Ｄからの反射光を光学系に入射する。光学系は反射光を撮像装置に導き、撮像装置は、反射光を撮像して読取画像データを生成する。また、原稿搬送装置３が原稿Ｄを搬送する場合、光源ユニットは、原稿読取位置を通過する原稿Ｄに光を照射する。
【００１８】
用紙収容部５は、複数の用紙Ｐを収容する。詳しくは、用紙収容部５は、複数の用紙Ｐを収容するカセット５１を有する。用紙収容部５は、カセット５１から用紙Ｐを１枚ずつ給紙する。カセット５１から給紙された用紙Ｐは、搬送ユニット６へ搬送される。用紙Ｐは、例えば、普通紙、薄紙、厚紙、又はインクジェット用光沢紙である。
【００１９】
本実施形態において、インクジェット記録装置１は、２つのカセット５１を備える。２つのカセット５１には、それぞれ異なる種類の用紙Ｐが収容される。例えば、一方のカセット５１には、普通紙が収容される。他方のカセット５１には、インクジェット用光沢紙が収容される。
【００２０】
搬送ユニット６は、記録部７の下方を通過するように用紙Ｐを搬送する。また、搬送ユニット６は、記録部７の下方を通過した用紙Ｐを排出装置８に搬送する。換言すると、搬送ユニット６は、記録部７によって画像が形成された用紙Ｐを排出装置８まで搬送する。搬送ユニット６は、搬送ベルト、及びローラーを有する。搬送ベルトは無端状に形成されて、ローラーに巻き付けられる。搬送ベルトの外周面に、用紙Ｐが載置される。ローラーは、モーターによって駆動される。搬送ベルトに用紙Ｐが載置され、ローラーが回転することで用紙Ｐが搬送される。
【００２１】
記録部７は、インクを吐出して用紙Ｐに画像を形成する。記録部７は、ヘッドハウジング７１、４つのラインヘッド７２及びインク収容部７３を含む。ヘッドハウジング７１は、４つのラインヘッド７２を支持する。４つのラインヘッド７２の各々は、対応する色のインクを吐出する。ラインヘッド７２は、「吐出部」の一例に相当する。
【００２２】
イエロー色のインクを吐出するラインヘッド７２をラインヘッド７２Ｙと示している。マゼンダ色のインクを吐出するラインヘッド７２をラインヘッド７２Ｍと示している。シアン色のインクを吐出するラインヘッド７２をラインヘッド７２Ｃと示している。ブラック色のインクを吐出するラインヘッド７２をラインヘッド７２Ｋと示している。
【００２３】
インク収容部７３は、インクタンク７４を有している。インクタンク７４はインクを収容する。インクタンク７４のインクは、画像の記録で消費する第１インクとクリーニングで消費する第２インクとを含む。インクタンク７４は、インクの種別ごとに設けられている。具体的には、インクタンク７４は、イエロー色のインクを貯留するインクタンク７４Ｙと、マゼンタ色のインクを貯留するインクタンク７４Ｍと、シアン色のインクを貯留するインクタンク７４Ｃと、ブラック色のインクを貯留するインクタンク７４Ｋとを含む。各インクタンク７４は、同じ色種のラインヘッド７２に送液管を介して連結される。
【００２４】
排出装置８は、排出トレイ８１を含む。排出装置８は、本体筐体の外部へ用紙Ｐを排出する。本体筐体の外部へ排出された用紙Ｐは、排出トレイ８１に載置される。
【００２５】
記憶部１０は、データを記憶する。記憶部１０は、ストレージデバイス及び半導体メモリーによって構成される。ストレージデバイスは、例えば、ＨＤＤ（Ｈａｒｄ  Ｄｉｓｋ  Ｄｒｉｖｅ）及び／又はＳＳＤ（Ｓｏｌｉｄ  Ｓｔａｔｅ  Ｄｒｉｖｅ）によって構成される。半導体メモリーは、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を構成する。記憶部１０は、制御プログラムを記憶する。
【００２６】
記憶部１０は、吐出量データを記憶する。吐出量データは、第１インクと第２インクの吐出量データを含む。具体的には、吐出量データは、１画素あたりの第１インクの吐出量とクリーニング動作で吐出する第２インクの吐出量とを含む。
【００２７】
本実施形態において、記憶部１０が記憶する１画素あたりの第１インクの吐出量は７ｐＬである。また、記憶部１０は、１画素あたりの第１インクの吐出量として、複数段階の第１インクの吐出量を用紙Ｐの種類毎に記憶していてもよい。第１インクの吐出量は、普通紙の場合、吐出量Ｓ・吐出量Ｍ・吐出量Ｌの３段階に設定される。インクジェット用光沢紙の場合、吐出量Ｓ・吐出量Ｌ・吐出量３Ｌの３段階に設定される。例えば、吐出量Ｓは３ｐＬであり、吐出量Ｍは５ｐＬであり、吐出量Ｌは７ｐＬである。この場合、吐出量３Ｌは２１ｐＬである。
【００２８】
なお、紙種によって吐出量が異なっているのは、紙種によって第１インクの吸収性が異なっているからである。普通紙は、インクジェット用光沢紙に比べて、吐出量が少ない。これは、第１インクの裏移りや第１インクによって普通紙がカールすることを防止するためである。
【００２９】
記憶部１０が記憶するクリーニング動作で吐出する第２インクの吐出量は１ｍＬである。クリーニング動作は、吐出ノズルから強制的にインクを押し出しする。クリーニング動作によって、吐出ノズル内の粘度が上昇したインクや気泡等の異物が排出される。よって、ラインヘッド７２を回復することができる。クリーニング動作は、ラインヘッド７２毎に行われる。クリーニング動作で消費するインク量の合計は、１ｍＬである。
【００３０】
また、クリーニング動作は、画像の記録枚数が所定枚数に達した時、所定時間経過した時などに実行される。例えば、クリーニング動作は、画像の記録枚数が１０００枚に達した時に行われる。また、クリーニング動作は、１０００時間経過した時に行われる。また、クリーニング動作は、画像の記録前、画像の記録途中、画像の記録後に実行されてもよい。
【００３１】
制御部９は、ＣＰＵ（Ｃｅｎｔｒａｌ  Ｐｒｏｃｅｓｓｉｎｇ  Ｕｎｉｔ）のようなプロセッサーによって構成される。制御部９は、制御プログラムを実行することにより、インクジェット記録装置１の各部の動作を制御する。また、制御部９は、画像形成処理用の集積回路を備える。画像形成処理用の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００３２】
次に、図２を参照して、本発明の実施形態に係る制御部９の構成について説明する。図２に示すように、制御部９は、消費予定量算出部９１と、残量算出部９２と、判定部９３と、調整部９４とを含む。具体的には、制御部９のプロセッサーは、記憶部１０の記憶装置に記憶されたコンピュータープログラムを実行して、消費予定量算出部９１、残量算出部９２、判定部９３、及び調整部９４として機能する。
【００３３】
消費予定量算出部９１は、インクの消費予定量を算出する。具体的には、消費予定量算出部９１は、画像の記録で消費される予定のインク量とクリーニングで消費される予定のインク量との合計量を算出する。なお、消費予定量とは、消費される予定のインク量である。画像の記録で消費される予定のインク量は、「第１消費予定量」の例に相当する。クリーニングで消費される予定のインク量は、「第２消費予定量」の例に相当する。
【００３４】
第１消費予定量は、記憶部１０が記憶する１画素あたり第１インクの吐出量と、記録予定の画像の画素数とに基づいて、消費予定量算出部９１によって算出される。
【００３５】
第１消費予定量は、以下の式（１）によって算出される。
（画素の数×吐出量７ｐＬ）・・・（１）
【００３６】
また、消費予定量算出部９１は、紙種と、記憶部１０が記憶する複数段階の第１インクの吐出量と、記録予定の画像の画素数とに基づいて、第１消費予定量を算出してもよい。
【００３７】
また、第１消費予定量は、用紙Ｐの種類が普通紙である場合、以下の式（２）によって算出される。また、第１消費予定量は、用紙Ｐの種類がインクジェット用光沢紙である場合、以下の式（３）によって算出される。
（吐出量Ｓの画素の数×吐出量Ｓ）＋（吐出量Ｍの画素の数×吐出量Ｍ）＋（吐出量Ｌの画素の数×吐出量Ｌ）・・・（２）
（吐出量Ｓの画素の数×吐出量Ｓ）＋（吐出量Ｌの画素の数×吐出量Ｌ）＋（吐出量３Ｌの画素の数×吐出量３Ｌ）・・・（３）
【００３８】
第２消費予定量は、記憶部１０が記憶するクリーニング動作で消費される第２インクの吐出量と、クリーニング動作の回数とに基づいて、消費予定量算出部９１によって算出される。
【００３９】
第２消費予定量は、以下の式（４）によって算出される。
（クリーニング動作回数×吐出量１ｍＬ）・・・（４）
【００４０】
残量算出部９２は、インクタンク７４に収容されているインクの残量を算出する。インクの残量は、インクタンク７４に収容可能な最大のインク量から消費した第１インクの量と消費した第２インクの量とを引くことでインクの残量が算出される。残量算出部９２は、インクタンク７４Ｋ、インクタンク７４Ｃ、インクタンク７４Ｍ、インクタンク７４Ｙのそれぞれに対してインクの残量を算出する。
【００４１】
判定部９３は、消費予定量算出部９１の算出結果がインクの残量より多いか否かを判定する。具体的には、判定部９３は、消費予定量がインクの残量より多いか否かを判定する。さらに具体的には、判定部９３は、第１消費予定量と第２消費予定量との合計量が、インクの残量より多いか否かを判定する。この結果、残りのインク量で画像を記録できるか否かを判定できる。
【００４２】
また、判定部９３は、インクの残量が第１消費予定量より多いか否かを判定する。この結果、残りのインク量で画像を記録できるか否かを判定できる。
【００４３】
また、インクの残量が第１消費予定量より多いか否かの判定は、判定部９３が第１消費予定量と第２消費予定量との合計量がインクの残量より多いか否かを判定した後におこなわれる。この結果、残りのインク量で画像を記録できるか否かを判定できる。
【００４４】
調整部９４は、残りのインク量で画像が記録できる様にインクの吐出量を調整する。具体的には、調整部９４は、クリーニングの実行回数を調整する。また、調整部９４は、第１インクの吐出量を調整する。また、調整部９４は、クリーニングの実行回数と第１インクの吐出量とを調整してもよいし、いずれか一方のみ調整してもよい。
【００４５】
調整部９４は、判定部９３の判定結果に基づいて、クリーニングの実行回数を調整する。例えば、第１消費予定量は、１ｍＬである。クリーニングの実行回数は３回であるため、第２消費予定量は、３ｍＬである。第１消費予定量と第２消費予定量との合計量は、４ｍＬである。インクの残量は、３ｍＬである。この場合、判定部９３は、第１消費予定量と第２消費予定量との合計量が、インクの残量より多いと判定する。調整部９４は、第１消費予定量と第２消費予定量との合計量がインクの残量より多いと判定部９３が判定した場合、クリーニングの実行回数を調整する。具体的には、調整部９４は、クリーニングの実行回数を２回に調整する。クリーニングの実行回数を減らすことは、第２消費予定量を減らすこととなる。クリーニングの実行回数を２回にすることで、第２消費予定量は２ｍＬとなる。クリーニングの実行回数の調整によって、第１消費予定量と第２消費予定量との合計量は、３ｍＬとなる。この様に、クリーニングの実行回数を調整することで、第２消費予定量を調整することが可能となる。この結果、残りのインク量で画像の記録が可能となる。
【００４６】
また、調整部９４は、判定部９３の判定結果に基づいて、クリーニングを実行しない様に調整する。例えば、第１消費予定量は、３ｍＬである。クリーニングの実行回数は３回であるため、第２消費予定量は、３ｍＬである。第１消費予定量と第２消費予定量との合計量は、６ｍＬである。インクの残量は、３ｍＬである。この場合、判定部９３は、第１消費予定量と第２消費予定量との合計量が、インクの残量より多いと判定する。調整部９４は、第１消費予定量と第２消費予定量との合計量がインクの残量より多いと判定部９３が判定した場合、クリーニングを実行しない様に調整する。具体的には、調整部９４は、クリーニングの実行回数を０回に調整する。クリーニングの実行回数を０回にすることで、第２消費予定量は０ｍＬとなる。クリーニングの実行回数の調整によって、第１消費予定量と第２消費予定量との合計量は、３ｍＬとなる。この様に、クリーニングの実行回数を調整することで、第２消費予定量を調整することが可能となる。この結果、残りのインク量で画像を記録することが可能となる。
【００４７】
また、調整部９４は、判定部９３の判定結果に基づいて、第１インクの吐出量を調整する。例えば、第１消費予定量は、３．５ｍＬである。クリーニングの実行回数は０回であるため、第２消費予定量は、０ｍＬである。第１消費予定量と第２消費予定量との合計量は、３．５ｍＬである。インクの残量は、２ｍＬである。判定部９３は、第１消費予定量と第２消費予定量との合計量が、インクの残量より多いと判定する。調整部９４は、第１消費予定量と第２消費予定量との合計量がインクの残量より多いと判定部９３が判定した場合、第１インクの吐出量を調整する。具体的には、調整部９４は、１画素あたりの吐出量を７ｐＬから３．５ｐＬに調整する。１画素あたりの吐出量を３．５ｐＬに調整することで、第１消費予定量は１．７５ｍＬとなる。この様に、第１インクの吐出量を調整することで、第１消費予定量を調整することが可能となる。この結果、残りのインク量で画像を記録することが可能となる。
【００４８】
また、調整部９４は、１画素あたりの吐出量を７ｐＬから３．５ｐＬに調整したが、１画素あたりの吐出量を吐出量Ｌから吐出量Ｓに調整してもよい。この結果、残りのインク量で画像を記録することが可能となる。
【００４９】
また、調整部９４は、判定部９３の判定結果に基づいて、第１インクの吐出量とクリーニングの実行回数とを調整する。例えば、第１消費予定量は、３．５ｍＬである。クリーニングの実行回数は２回である。このため、第２消費予定量は、２ｍＬである。第１消費予定量と第２消費予定量との合計量は、５．５ｍＬである。インクの残量は、４ｍＬである。判定部９３は、第１消費予定量と第２消費予定量との合計量が、インクの残量より多いと判定する。調整部９４は、第１消費予定量と第２消費予定量との合計量がインクの残量より多いと判定部９３が判定した場合、第１インクの吐出量とクリーニングの実行回数とを調整する。具体的には、調整部９４は、１画素あたりの吐出量を７ｐＬから、３．５ｐＬに調整する。第１消費予定量は、１．７５ｍＬとなる。調整部９４は、クリーニングの実行回数を１回に調整する。第２消費予定量は、１ｍＬとなる。第１消費予定量と第２消費予定量との合計量は、２．７５ｍＬとなる。第１インクの吐出量とクリーニングの実行回数とを調整することで、残りのインク量で画像を記録することが可能となる。また、調整部９４は、１画素あたりの吐出量を吐出量Ｌから吐出量Ｓに調整してもよい。また、調整部９４は、クリーニングの実行回数を、０回に調整してもよい。
【００５０】
また、調整部９４は、判定部９３の判定結果に基づいて、クリーニングの実行回数の調整と第１インクの吐出量の調整とを行うが、ユーザーからの指示に従って、クリーニングの実行回数と第１インクの吐出量とを調整してもよい。
【００５１】
次に図３を参照して、制御部９が実行する処理の流れを説明する。図３は、制御部９が実行する処理を示すフローチャートである。図３に示すように、制御部９が実行する処理は、ステップＳ１からステップＳ１３を含む。
【００５２】
図３に示すように、制御部９が実行する処理がスタートすると、ステップＳ１が実行される。ステップＳ１において、消費予定量算出部９１が、消費予定量を算出する。具体的には、消費予定量算出部９１が、第１消費予定量と第２消費予定量との合計量を算出する。
【００５３】
ステップＳ３において、残量算出部９２は、インクタンク７４のインクの残量を算出する。残量算出部９２は、インクタンク７４Ｃ、インクタンク７４Ｍ、インクタンク７４Ｙ及びインクタンク７４Ｋの各々に対してインクの残量を算出する。
【００５４】
ステップＳ５において、判定部９３は、消費予定量がインクの残量より多いか否かを判定する。具体的には、判定部９３は、第１消費予定量と第２消費予定量との合計量がインクの残量より多いか否かを判定する。第１消費予定量と第２消費予定量との合計量がインクの残量よりも多い場合（ステップＳ５においてＹｅｓ）、処理はステップＳ７に進む。第１消費予定量と第２消費予定量との合計量がインクの残量よりも多くない場合（ステップＳ５においてＮｏ）、処理はステップＳ１３に進む。
【００５５】
また、ステップＳ５において、判定部９３は、第１消費予定量と第２消費予定量との合計量がインクの残量より多いか否かを判定した後に、さらに第１消費予定量がインクの残量より多いか否かを判定してもよい。第１消費予定量がインクの残量より多い場合（ステップＳ５においてＹｅｓ）、処理はステップＳ７に進む。第１消費予定量がインクの残量より多くない場合（ステップＳ５においてＮｏ）、処理はステップＳ１３に進む。
【００５６】
ステップＳ７において、制御部９は、判定部９３の判定結果に基づいて、警告を通知するように通知部２１を制御する。具体的には、残りのインク量では画像が記録できない旨を通知する。
【００５７】
通知部２１は、ユーザーにインク量を調整するか否かを判断させる。操作パネル２は、ユーザーからインク量を調整するか否かの指示を受け付ける。
【００５８】
ステップＳ９において、判定部９３は、ユーザーからの指示があるか否かを判定する。具体的には、判定部９３は、インク量を調整する旨の指示がユーザーからあるか否かを判定する。インク量を調整する旨の指示がユーザーからある場合（ステップＳ９においてＹｅｓ）、処理はステップＳ１１に進む。インク量を調整する旨の指示がユーザーからない場合（ステップＳ９においてＮｏ）、処理はステップＳ１３に進む。
【００５９】
ステップＳ１１において、調整部９４は、インク量を調整する調整処理を実行する。調整処理の詳細は、図４を参照して後述する。
【００６０】
ステップＳ１３において、インクジェット記録装置１は、調整後のインク量で画像の記録を行う。
【００６１】
また、ステップＳ１３において、第１消費予定量と第２消費予定量との合計量がインクの残量よりも多くない場合（ステップＳ５においてＮｏ）、制御部９は画像の記録を行うように、記録部７を制御する。
【００６２】
また、ステップＳ１３において、ユーザーからインク量を調整する指示がない場合（ステップＳ９においてＮｏ）は、制御部９は残りのインク量で可能なだけ画像を記録するように記録部７を制御する。
【００６３】
なお、ステップＳ７とステップＳ９とは、処理がスキップされてもよい。ステップＳ７とステップＳ９との処理がスキップされる場合、ステップＳ５の終了後、処理はステップＳ１１に進む。
【００６４】
続いて、図４を参照して、調整処理について説明する。図４は、本発明の実施形態に係る制御部９が実行する調整処理を示すフローチャートである。図４に示すように、制御部９が実行する処理は、ステップＳ１１１とステップＳ１１３とを含む。
【００６５】
ステップＳ１１１において、調整部９４は、判定部９３の判定結果に基づいて、クリーニング回数を調整する。
【００６６】
ステップＳ１１３において、調整部９４は、判定部９３の判定結果に基づいて、第１インクの吐出量を調整する。
【００６７】
ステップＳ１１１とステップＳ１１３とは、一方のみが実行されてもよいし、両方が実行されてもよい。
【００６８】
以上、図３及び図４を参照して説明したように、本実施形態によれば、通知部２１によって、判定部９３の判定結果を通知できる（ステップＳ７）。従って、ユーザーは、調整処理を行うか否かを判断できる。調整処理が実行されることで、第１消費予定量と第２消費予定量との合計量がインクの残量より多い場合であっても、画像の記録を行うことが可能となる。
【００６９】
以上、図面（図１〜図４）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００７０】
本発明は、インクジェット記録装置の分野に利用可能である。
【符号の説明】
【００７１】
１        インクジェット記録装置
９        制御部
２１      通知部
７２      ラインヘッド（吐出部）
７２Ｃ    ラインヘッド（吐出部）
７２Ｋ    ラインヘッド（吐出部）
７２Ｍ    ラインヘッド（吐出部）
７２Ｙ    ラインヘッド（吐出部）
７４      インクタンク
７４Ｃ    インクタンク
７４Ｋ    インクタンク
７４Ｍ    インクタンク
７４Ｙ    インクタンク
７４Ｋ    インクタンク
９１      消費予定量算出部
９２      残量算出部
９３      判定部
９４      調整部
【図１】
2019126960.tif 000003
【図２】
2019126960.tif 000004
【図３】
2019126960.tif 000005
【図４】
2019126960.tif 000006